(57)【要約】      （修正有）【課題】ホンマグロ、ビンナガ、メバチ、及びキハダ（以下、略して、マグロとする）の養殖は、直径が２０ｍ以上、深さが１０ｍの生け簀網でないと、マグロが生け簀網に衝突をして首の骨を折り、死亡してしまうことから出来ないとされているが、直径が１０ｍの円形形状をした生け簀網や１０ｍ×１０ｍの４角形状をした生け簀網であっても、マグロの養殖を可能とする生け簀網およびその装置を提供する。【解決手段】生け簀網１が、素材が銅、又は鉄を亜鉛メッキしている針金で作られた金網を使用して、又は銅線を入れて出来ている導電性の糸で編網している漁網を使用して出来ている直径が１０ｍの円形形状の生け簀網１や１０ｍ×１０ｍの４角形状の生け簀網１に交流電流又はパルス電流を流して、生け簀網１の内側に電流の防御壁を形成する。また、生け簀網１の内側、又は内壁部分に擬似コンブ１１やリボン１２などを形成する。【選択図】図１１
2013215135.tif 000002
【特許請求の範囲】
【請求項１】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、直径が１０ｍの円形形状をした形状にて出来ている、生け簀網（１）に交流（ＡＣ）を印加して交流電流を流して電流の防御壁を生け簀網（１）の内側に形成をしている、生け簀網（１）の内部にてマグロ（３）を養殖することを特徴としたマグロの養殖、及びその装置。
【請求項２】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して、交流電流を流して電流の防御壁を生け簀網（１）の内側に形成をしている、生け簀網（１）の内部にてマグロ（３）を養殖することを特徴としたマグロの養殖、及びその装置。
【請求項３】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）を印加して交流電流を流して電流の防御壁を生け簀網（１）の内側に形成をしている、生け簀網（１）の内部にてマグロ（３）を養殖することを特徴としたマグロの養殖、及びその装置。
【請求項４】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを特徴としたマグロの養殖、及びその装置。
【請求項５】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを特徴としたマグロの養殖、及びその装置。
【請求項６】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分にフロート（９）、又は擬似コンブ（１１）、又はリボン（１２）、又は直径が５０ｃｍ前後で、長さが５０ｃｍ前後の小さいこんもりとした竹の笹（１２）、
又はその他の障害物（１２）（以下、略して、障害物とする）を、生け簀網（１）の内側の部分、又は内壁の部分に障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを特徴としたマグロの養殖、及びその装置。
【発明の詳細な説明】
【技術分野】
【０００１】
生け簀網（１）を使用して本マグロ、ビンナガ、メバチ、及びキハダ（以下、略して、マグロとする）を養殖することを目的とした養殖網に関するものである。
【背景技術】
【０００２】
マグロは大きくて、直進性にスピードが速く遊泳をする魚種なので、マグロを養殖する生け簀網（１）の構造は円形形状、又は八角形形状（以下、略して、円形形状とする）をした形状で、最低でも、直径が２０ｍ以上で、深さが１０ｍの円形形状をした生け簀網（１）を使用してマグロを養殖しているのが現状である。
【発明の概要】
【発明が解決しようとする課題】
【０００３】
生け簀網（１）の構造が円形形状で、最低でも、直径が２０ｍ以上の直径がなければ養殖が出来ないマグロの養殖を、直径が２０ｍ以下である、例えば、１０ｍ以下で、また、円形形状以外の形状である、例えば、４角形状、又は長方形状をした生け簀網（１）を使用してのマグロ養殖を提供することを解決手段とする。
【発明の効果】
【０００４】
マグロを養殖する目的の生け簀網（１）が、素材が銅、又は鉄を亜鉛メッキしている針金を使用して出来ている金網を使用して出来ている生け簀網（１）、又は無結節漁網、又は蛙又漁網、又は亀甲網（以下、略して、漁網とする）を構成している漁網を構成している糸の内部に、銅線を入れている糸を使用して、編網をしている魚網を使用して、マグロを養殖している生け簀網（１）の銅線に交流、又は直流（以下、略して、交流とする）を印加して、生け簀網（１）に交流の電流を常時印加をして交流電流を流すか、又はパルス波長の交流電流を印加している、生け簀網（１）を使用してマグロ養殖をすることにより、マグロは生け簀網（１）に衝突をすることがなくなるので、下記の（１）から（６）にて記載をしているような効果がある。
【０００５】
（１）の効果としては、生け簀網（１）の直径を２０ｍ以下の直径とすることが出来る。例えば、１０ｍ以下の生け簀網（１）でもマグロの養殖が出来ることになる。
【０００６】
（２）の効果としては、生け簀網（１）にマグロが衝突をして首を骨折しての死亡率が減少をすることになる。
【０００７】
（３）の効果としては、マグロの養殖を行なう目的の生け簀網（１）の形状は円形形状でないと、マグロの養殖は出来ないとの定説を覆して、例えば、４角形状、又は長方形状の生け簀網（１）の形状でもマグロの養殖を可能とすることになる。
【０００８】
（４）の効果としては、従来、タイ、ハマチ、フ゛リ（以下、略して、ハマチとする）などを養殖している生け簀網（１）は、１０ｍ×１０ｍの４角形状で、深さは１０ｍである、この１０ｍ×１０ｍの４角形状をした生け簀網（１）を、図１に示しているように、銅線入りの糸を使用して編網をした漁網を使用して、交流電流を印加して流している生け簀網（１）に変更をすることにより、ハマチを養殖している１０ｍ×１０ｍの４角形状で、深さが１０ｍの生け簀網（１）が、マグロの養殖を行なうことが出来る生け簀網（１）に変化をさせることが出来るので、付加価値が高い養殖事業とすることになる。
【０００９】
（５）の効果としては、従来、ハマチなどを養殖している１０ｍ×１０ｍの４角形状の生け簀網（１）の内側に、図２、及び図３に示しているように、素材が銅、又は鉄を亜鉛メッキをした素材で出来ている金網を、１０ｍ×１０ｍの４角形状をした生け簀網（１）の内側の内壁に沿って４角形状をした金網を取り付けるか、又は図３に示しているように、円形形状に生け簀網（１）の内側の内壁に取り付けている円形形状をした金網に交流の電圧を印加して、交流電流を流している生け簀網（１）を使用してマグロを養殖すると、上記にて説明をしたように、ハマチなどを養殖している生け簀網（１）を、容易に転用をして、付加価値が高いマグロの養殖をすることが出来ることになる。
【００１０】
（６）の効果としては、所在地が大分県佐伯市海崎海崎上１３７３−１０で、会社名が大分養殖金網（株）が製造販売をしている、素材は鉄で出来ている針金で、直径が４ｍｍの針金を使用して出来ている金網の、金網の目と目の直径が５ｃｍから１０ｃｍの金網で出来ている、直径が１０ｍの円形形状、又は直径が２０ｍの円形形状を最大の直径の上限として、深さが１０ｍの金網で出来ている養殖網（１）である、図１に示している、生け簀網（１）に電圧をＯＶから１３０Ｖまでの任意の電圧に調節をすることが出来る変圧器であるスライダックを使用して、例えば、図１に示している、金網で出来ている生け簀網（１）に電圧は１３０Ｖで、電流値が５０Ａ、又は１００Ａの交流電圧を印加している、金網で出来ている金網の生け簀網（１）の直径が１０ｍ、又は直径が２０ｍで、深さが１０ｍの金網で出来ている養殖網（１）の内部に於いてマグロの養殖をすると、電気殺菌効果による高密度のマグロの養殖が出来て、病原菌による発症を極力低下をさせた、安全なマグロの養殖を目的とした金網で出来ている生け簀網（１）が出来上がることになる。
【００１１】
（７）の効果としては、マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分にフロート（９）、又は擬似コンブ（１１）、又はリボン（１２）、又は直径が５０ｃｍ前後で、長さが５０ｃｍ前後の小さいこんもりとした竹の笹（１２）、又はその他の障害物（１２）（以下、略して、障害物とする）を、生け簀網（１）の内側の部分、又は内壁の部分に障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになる効果がある。
【図面の簡単な説明】
【００１２】
【図１】図１に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流している生け簀網（１）の内部にてマグロ（３）を養殖している縦断面図を、図１に示している。
【図２】図２に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流している生け簀網（１）の内部にてマグロ（３）を養殖している平面図を、図２に示している。
【図３】図３に示しているのは、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して交流電流を流している、生け簀網（１）の内部にてマグロ（３）を養殖している平面図を、図３に示している。
【図４】図４に示しているのは、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）を印加して交流電流を流している、生け簀網（１）の内部にてマグロ（３）を養殖している平面図を、図４に示している。
【図５】図５に示しているのは、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている縦断面図を、図５に示している。
【図６】図６に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている縦断面図を、図６に示している。
【図７】図７に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、フロート（９）、又はその他の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている縦断面図を、図７に示している。
【図８】図８に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、フロート（９）、又はその他の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている平面図を、図８に示している。
【図９】図９に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としてはコンブの形状（１０）、又はその他の障害物（１０）（以下、擬似コンブ、又はその他の障害物とする）で、色彩は赤、青、黄の３原色で出来ている疑似コンブ（１０）、又はその他の障害物（１０）を、マグロを養殖している生け簀網（１）の深さの長さである１０ｍの擬似コンブ（１０）、又はその他の障害物を生け簀網（１）の底の部分に取り付けて、マグロを養殖している生け簀網（１）の存在をマグロに認識をさせる標識としている縦断面図を、図９に示している。
【図１０】図１０に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としてはコンブの形状（１０）、又はその他の障害物（以下、擬似コンブ、又はその他の障害物とする）で、色彩は赤、青、黄の３原色で出来ている擬似コンブ（１０）、又はその他の障害物（１０）を、マグロを養殖している生け簀網（１）の深さの長さである１０ｍの擬似コンブ（１０）、又はその他の障害物（１０）を生け簀網（１）の底の部分に取り付けて、マグロを養殖している生け簀網（１）の存在をマグロに認識をさせる標識としている平面図を、図１０に示している。
【図１１】図１１に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としてはコンブの形状（１０）、又はその他の障害物（１０）（以下、擬似コンブ、又はその他の障害物とする）で、色彩は赤、青、黄の３原色の細長い、例えば、幅が１０ｃｍ程度で、長さが１００ｃｍ程度のフィルム、又は直径が５０ｃｍ前後で、長さが５０ｃｍ前後の小さいこんもりとした竹の笹（１２）を、マグロを養殖している生け簀網（１）の内側に、直接に生け簀網（１）に結び付けて、生け簀網（１）の内側に向けて、色彩が赤、青、黄の３原色の細長いリボン形状のフィルム、又は織物、又は漁網、又はその他の素材で出来ている細長いカーテン形状となりえる素材（以下、略して、リボン、又はカーテン、又はその他の障害物とする）を、マグロを養殖している生け簀網（１）の内部にて、リボン、又は笹、又はカーテン、又はその他の障害物をゆらゆらと泳がせて、マグロを養殖している生け簀網（１）の存在をマグロに認識をさせる標識としている縦断面図を、図１１に示している。
【図１２】図１２に示しているのは、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としてはコンブの形状（１０）、又はその他の障害物（１０）（以下、擬似コンブ、又はその他の障害物とする）で、色彩は赤、青、黄の３原色の細長い、例えば、幅が１０ｃｍ程度で、長さが１００ｃｍ程度のフィルム、又は直径が５０ｃｍ前後で、長さが５０ｃｍ前後の小さいこんもりとした竹の笹（１２）を、マグロを養殖している生け簀網（１）の内側に、直接に生け簀網（１）に結び付けて、生け簀網（１）の内側に向けて、色彩が赤、青、黄の３原色の細長いリボン形状のフィルム、又は織物、又は漁網、又はその他の素材で出来ている細長いカーテン形状となりえる素材（以下、略して、リボン、又はカーテン、又はその他の障害物とする）を、マグロを養殖している生け簀網（１）の内部にて、リボン、、又は笹、又はカーテン、又はその他の障害物をゆらゆらと泳がせて、マグロを養殖している生け簀網（１）の存在をマグロに認識をさせる標識としている平面図を、図１２に示している。
【発明を実施するための形態】
【実施例１】
【００１３】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）を印加して交流電流を流して電流の防御壁を生け簀網（１）の内側に形成をしている、生け簀網（１）の内部にてマグロ（３）を養殖することを実施例１とする。
【実施例２】
【００１４】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）を印加して、交流電流を流して電流の防御壁を生け簀網（１）の内側に形成をしている、生け簀網（１）の内部にてマグロ（３）を養殖することを実施例２とする。
【実施例３】
【００１５】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした金網（５）に交流（ＡＣ）を印加して交流電流を流して電流の防御壁を生け簀網（１）の内側に形成をしている、生け簀網（１）の内部にてマグロ（３）を養殖することを実施例３とする。
【実施例４】
【００１６】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを実施例４とする。
【実施例５】
【００１７】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを実施例５とする。
【実施例６】
【００１８】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分にフロート（９）、又は擬似コンブ（１１）、又はリボン（１２）、又は直径が５０ｃｍ前後で、長さが５０ｃｍ前後の小さいこんもりとした竹の笹（１２）、
又はその他の障害物（１２）（以下、略して、障害物とする）を、生け簀網（１）の内側の部分、又は内壁の部分に障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを実施例６とする。
【産業上の利用可能性】
【００１９】
マグロの養殖を行なうためには、最低、直径が２０ｍ以下で、深さが１０ｍの円形形状をした生け簀網（１）でないとマグロの養殖は出来ないとされている。けれども、生け簀網（１）を導電性とした生け簀網（１）に交流電流（ＡＣ）を印加するか、または、生け簀網（１）の内壁に沿って、素材が銅、又は鉄を亜鉛メッキをした金網で出来ている４角形状、又は円形形状をした導電性の金網（１）、（４）、及び（５）に交流（ＡＣ）を印加して交流電流を流して電流の防御壁を生け簀網（１）の内側に４角形状、又は円形形状に電流の防御壁を形成している、生け簀網（１）の内部にてマグロ（３）を養殖するので、従来、ハマチなどを養殖している１０ｍ×１０ｍの４角形状で、深さが１０ｍの、ハマチ養殖の施設を転用してハマチの養殖事業よりも、より一段と付加価値が高いマグロの養殖事業を可能とすることになった。
【００２０】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分にフロート（９）、又は擬似コンブ（１１）、又はリボン（１２）、又は直径が５０ｃｍ前後で、長さが５０ｃｍ前後の小さいこんもりとした竹の笹（１２）、
又はその他の障害物（１２）（以下、略して、障害物とする）を、生け簀網（１）の内側の部分、又は内壁の部分に障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになった。このことにより、現在、ハマチの養殖を行なっている直径が１０ｍ×１０ｍの、１形状としては４角形状をしたハマチの養殖を行っている、ハマチ養殖用の筏を使用して、現在、ハマチの養殖をするのに使用している形状が４角形状をした、生け簀網（１）を使用してハマチを養殖している、ハマチ養殖を目的とした生け簀網（１）の形状を、１０ｍ×１０ｍの４角形状をした生け簀網（１）から、形状が円形形状をした直径が１０ｍの生け簀網（１）に変更をするだけにて、現在、ハマチを養殖している４角形状をした筏を、そのままの状態にて転用して、マグロを安全にハマチ養殖用の筏を使用して、マグロの養殖を可能としたことにより、九州、四国、及びその他の地域にてハマチを養殖している、１００００以上のハマチを養殖している養殖用の筏を、そのままの状態にて４角形状の筏を転用して、マグロの養殖が出来ることは、ハマチを養殖している漁業者にとっては、大変に付加価値が高い漁業者となることが出来ることになった。
【符号の説明】
【００２１】
１  導電性の生け簀網、又は金網で出来ている生け簀網（以下、略して、生け簀網とする）
２  フロート
３  マグロ
４  導電性の金網で出来ている４角形状をした金網
５  導電性の金網で出来ている円形形状をした金網
６、及び７  パルス波長の超高圧の交流を印加する目的のために生け簀網に取り付けている電線
８  有刺鉄線
９  フロート（以下、略して、フロート、又は障害物とする）
１０  ロープ
１１  擬似コンブ（以下、略して、擬似コンブ、又は障害物とする）
１２  リボン、又は天然の小さい竹の笹、又は人工的に塩化ビニール樹脂などで出来ている笹（以下、略して、リボン、又は笹、又は障害物とする）
１３  重り
【図１】
2013215135.tif 000003
【図２】
2013215135.tif 000004
【図３】
2013215135.tif 000005
【図４】
2013215135.tif 000006
【図５】
2013215135.tif 000007
【図６】
2013215135.tif 000008
【図７】
2013215135.tif 000009
【図８】
2013215135.tif 000010
【図９】
2013215135.tif 000011
【図１０】
2013215135.tif 000012
【図１１】
2013215135.tif 000013
【図１２】
2013215135.tif 000014